(57)【要約】【課題】複数の表示モードを実現できる投影装置を提供する【解決手段】  本発明の投影装置は、光源、フィルタリング装置及び移動装置を有する。光源は、照明光束を提供する。フィルタリング装置は、照明光束の経路に設置され、複数のフィルタリング区域を有し、また当該複数のフィルタリング区域が互いに隣接してリング状に設置され、少なくとも一つの前記隣接する区域の境界線が延伸方向に前記リング状構造の円心を通過しない直線である。移動装置は、前記フィルタリング装置と接続され、前記フィルタリング装置を移動するためである。【選択図】  図5
2006119589.tif 000002
【特許請求の範囲】
【請求項１】
照明光束を提供する光源と、
前記照明光束の経路に設置され、複数のフィルタリング区域を有し、当該複数のフィルタリング区域が互いに隣接してリング状に設置され、少なくとも一つの前記隣接する区域の境界線が延伸方向に前記リング状の円心を通過しない直線であるフィルタリング装置と、
前記フィルタリング装置と接続され、前記フィルタリング装置を移動するための移動装置と、
を有する投影装置。
【請求項２】
前記複数のフィルタリング区域は、赤フィルタリング区域、緑フィルタリング区域及び青フィルタリング区域を含む
請求項１に記載の投影装置。
【請求項３】
前記複数のフィルタリング区域は、更に白フィルタリング区域を含む
請求項１に記載の投影装置。
【請求項４】
前記移動装置は、前記照明光束が前記フィルタリング装置を通過する位置を変更し、前記投影装置の輝度、色飽和度及び色温度を変更する
請求項１に記載の投影装置。
【請求項５】
前記複数のフィルタリング区域は、複数のフィルターからなる
請求項１に記載の投影装置。
【請求項６】
前記複数のフィルタリング区域は、透光板上に塗布された複数のフィルタリング塗布層である
請求項１に記載の投影装置。
【発明の詳細な説明】
【技術分野】
【０００１】
本発明は、投影装置に関し、特に、フィルタリング装置を有する投影装置に関する。
【背景技術】
【０００２】
図1と図2に示すように、従来の投影装置10は、光源11、フィルタリング装置12、インテグレーションロッド13(Integration  Rod)、ライトバルブ14(Light  Valve)、投影レンズ15(Projection  Lens)を有する。フィルタリング装置12は、赤(Red,  R)、緑(Green,  G)、青(Blue,  B)フィルタリング区域から構成され、或いは、赤フィルタリング区域121、緑フィルタリング区域122、青フィルタリング区域123及び白(White,  W)  フィルタリング区域124が互いに隣接してリング状に構成される。光源11からの照明光束は、フィルタリング装置12によって順番に赤、緑、青の光束が生成され、またインテグレーションロッド13によって平均化処理が行われ、ライトバルブ14に投射し、そして、ライトバルブ14によって処理され、投影レンズ15に投射し、映像をディスプレイ16に表示する。
【０００３】
然し、投影装置の異なる応用状況により、例えば、プレゼンテーションする時に、比較的に高い輝度が必要であり、映画を鑑賞する時に、通常、比較的に高い色飽和度が必要である。よって、複数の表示モードで表示できる投影装置が要求される。
【０００４】
また、色温度の変化に伴い、視覚感覚が異なる。例えば、低色温度の時には、比較的に暖かく感じ、高色温度の時には、比較的に涼しく感じる。よって、色温度を調整する機能を有しなければ、使用者の好みの視覚ニーズを満足させることが出来ない。
【０００５】
従来の投影装置において、フィルタリング装置の各色のフィルタリング区域の面積の比を調整することにより、輝度、色飽和度、色温度が変更される。輝度を高めようとする場合、白フィルタリング区域124の面積を増加することで実現できるが、この方法によって赤フィルタリング区域121、緑フィルタリング区域122及び青フィルタリング区域123の面積が減少されるので、投影装置の色飽和度が下がる。色飽和度或いは色温度を変更する場合、赤、緑、青フィルタリング区域の面積を変更することで実現できるが、この方法によって白フィルタリング区域124の面積が影響されるので、投影装置の輝度が変わる。
【０００６】
従来のフィルタリング装置のフィルタリング区域は単層構造であり、またフィルタリング区域の境界線は、すべてリング状構造の円心を通過するので、光束がフィルタリング装置の異なる円周を通過したとしても、それらの円周上にフィルタリング区域の色分布の比は一定であるので、光束がフィルタリング装置に投射される位置を変更することで、投影装置に高輝度、高色飽和度、高色温度及び低色温度等の表示モードを持たせることが出来ない。
【０００７】
また、図3は、米国特許号第5650832号に係るフィルタリング装置22を示す図である。図3に示すように、フィルタリング装置22は、複数モードの表示ができるフィルタリング装置であり、二層の同心リング221と222を有する。同心リング221と222は、面積の比が異なる赤、緑、青フィルタリング区域の配置により、色飽和度を変更する。また、フィルタリング装置22を移動することで、同心リング221と同心リング222の間に照明光束（図示されてない）が通過する位置を切り替え、異なる色飽和度を提供する。然し、このフィルタリング装置は、多層構造を用いるので、フィルタリング区域の数と層間の粘着領域が増え、製造プロセスが複雑になり、コストも高くなる。また、粘着領域の増加によって、フィルタリング装置の高速及び高温度状態において粘着剤が劣化する確率が高くなる。また、投影装置は、表示モードを増加した場合、例えば、高輝度表示モードを増加した場合に、フィルタリング装置22の同心リングの数もそれに応じて増加するので、フィルタリング装置の製造プロセスが更に複雑し、層間の粘着領域が更に劣化する。
【発明の開示】
【発明が解決しようとする課題】
【０００８】
本発明の目的は、上記従来の課題を解決する投影装置を提供することにある。
【０００９】
本発明のもう一つの目的は、フィルタリング区域の境界線がリング状構造の円心を通過しない構造と、光束がフィルタリング装置に投射する位置を変更することとの組み合わせにより、光束がフィルタリング装置の異なる円周を通過する時にフィルタリング区域の色分布の比を異ならせて、複数モードの表示を実現することができる投影装置を提供することにある。
【課題を解決するための手段】
【００１０】
上記目的を達成するために、本発明の投影装置は、照明光束を提供する光源とフィルタリング装置を有し、該当フィルタリング装置は、複数のフィルタリング区域を有し、該当複数のフィルタリング区域は、互いに隣接しリング状に位置され、また該当複数のフィルタリング区域は、互いに隣接する第一フィルタリング区域と第二フィルタリング区域を有し、該当第一フィルタリング区域と第二フィルタリング区域との隣接する区域の境界線は、延伸方向にリングの円心を通過しない直線である。投影装置は、移動装置を有し、該当移動装置は、照明光束がフィルタリング装置に通過する位置を変更することにより、投影装置の輝度、色飽和度、色温度を変更する。
【発明の効果】
【００１１】
従来の投影装置に比べると、本発明の投影装置はフィルタリング装置において単層構造のフィルタリング区域を用い、複数モードの表示を達成したので、フィルタリング装置の生産プロセスの簡略化とコスト削減を実現できると同時に、複数モードの表示を提供できるため、使用者の好みの視覚ニーズ或いは異なる場合の使用要求を満足させることが出来る。
【発明を実施するための最良の形態】
【００１２】
次に、添付した図面を参照しながら、本発明の投影装置の好適な実施形態を詳細に説明する。
【００１３】
実施形態
図4は、本発明の第一の実施例に係る投影装置30を示す図である。図4に示すように、本発明の投影装置30は、光源31、インテグレーションロッド33、ライトバルブ34及び投影レンズ35を有する。光源31は、照明光束を提供し、当該照明光束は、フィルタリング装置32を通過した後、赤、緑及び青の三色の光束が生成され、また当該三色の光束は、インテグレーションロッドによって平均化されてライトバルブ34に投射され、ライトバルブ34により処理されて投影レンズ35に投射され、映像がディスプレイに表示される。
【００１４】
図5に示すように、フィルタリング装置32は、赤フィルタリング区域321、緑フィルタリング区域322、青フィルタリング区域323及び白フィルタリング区域324を有し、フィルタリング区域321、322、323及び324は、互いに隣接しリング状に構成される。赤フィルタリング区域321は、緑フィルタリング区域322と青フィルタリング区域323と隣接し、白フィルタリング区域324は、緑フィルタリング区域322と青フィルタリング区域324と隣接し、それぞれの境界線は、延伸方向においてリング状構造の円心を通過しない直線である。フィルタリング装置32は、移動装置（図示されていない）と接続され、当該移動装置によってフィルタリング装置32が移動される。フィルタリング装置32は、所定の位置に移動されることにより、フィルタリング装置32を通過する照明光束の位置が変更される。また、フィルタリング装置32は、異なる円周に沿って一周回転する際に、照明光束が通過する赤フィルタリング区域321、緑フィルタリング区域322、青フィルタリング区域323及び白フィルタリング区域324の面積の比が異なるので、フィルタリング装置32を通過した後の照明光束の色飽和度と輝度が変化する。本実施例において、照明光束がフィルタリング装置32を通過する位置はMからNに移動される時、フィルタリング装置32は、一周回転する際に、白フィルタリング区域324を通過した照明光束の比が増加される（86°から100°に）ので、高い輝度が必要とされるプレゼンテーションモードに切り替えることができる。逆に、照明光束がフィルタリング装置32を通過する位置はNからMに移動される時、白フィルタリング区域324を通過した照明光束の比が減少されるので、高い色飽和度が必要とされる映画鑑賞モードに切り替えることができる。
【００１５】
図6は、本発明の第二の実施例に係る投影装置42を示す図である。本発明の投影装置42は、複数の色温度モードを提供することができる。図6に示すように、投影装置42は、赤フィルタリング区域421、緑フィルタリング区域422及び青フィルタリング423を有し、青フィルタリング区域423が赤フィルタリング区域421と緑フィルタリング区域422との境界線は、それぞれの延伸方向においてリング状構造の円心を通過しない直線であり、赤フィルタリング区域421と緑フィルタリング区域422との境界線は、延伸方向においてリング状構造の円心を通過する直線である。フィルタリング装置42は、移動装置（図示されていない）と接続され、当該移動装置によってフィルタリング装置42が移動される。フィルタリング装置42は、所定の位置に移動されることにより、フィルタリング装置42を通過する照明光束の位置が変更される。また、フィルタリング装置42は、一周回転する際に、照明光束が通過する赤フィルタリング区域421、緑フィルタリング区域422及び青フィルタリング区域423の面積の比が異なるので、フィルタリング装置42を通過した後の照明光束の色温度が変化する。本実施例において、照明光束がフィルタリング装置42を通過する位置はPからQに移動される時、フィルタリング装置42は、一周回転する際に、青フィルタリング区域423を通過した照明光束の比が増加される（86°から100°に）ので、高色温度（即ち、冷色光）の表示モードを実現できる。逆に、照明光束がフィルタリング装置42を通過する位置はQからPに移動される時、フィルタリング装置42は、一周回転する際に、青フィルタリング区域423を通過した照明光束の比が減少されるので、低色温度（即ち、暖色光）の表示モードを実現できる。
【００１６】
前述の実施例の中の赤フィルタリング区域、緑フィルタリング区域、青フィルタリング区域及び白フィルタリング区域は、赤フィルター、緑フィルター、青フィルター及び白フィルターから構成される。その他、透光板上に赤フィルタリング塗布層、緑フィルタリング塗布層及び青フィルタリング塗布層を塗布することによりも実現できる。
【００１７】
また、隣接するフィルタリング区域の境界線のうち、延伸方向にリング状構造の円心を通過しない直線は少なくとも一本があればよく、その他の直線は、延伸方向にリング状構造の円心を通過してもしなくても良く、要求される投影装置の輝度、飽和度或いは色温度の値によって決められる。また、直線の傾きを調整し、或いは隣接するフィルタリング区域の境界線を複数の傾きを有する折れ線にしても、投影装置に複数の表示モードを持たせることも可能である。
【００１８】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００１９】
【図１】従来の投影装置を示す図である。
【図２】従来のフィルタリング装置の正面図である。
【図３】米国特許号第5650832号に係るフィルタリング装置の正面図である。
【図４】本発明の投影装置を示す図である。
【図５】本発明の第一の実施例のフィルタリング装置の正面図である。
【図６】本発明の第二の実施例のフィルタリング装置の正面図である。
【符号の説明】
【００２０】
30  投影装置
31  光源
32、42  フィルタリング装置
321、421  赤フィルタリング区域
322、422  緑フィルタリング区域
323、423  青フィルタリング区域
324  白フィルタリング区域
33  平均化ユニット
34  ライトバルブ
35  投影レンズ
36  ディスプレイ
M、N、P、Q  位置
【図１】
2006119589.tif 000003
【図２】
2006119589.tif 000004
【図３】
2006119589.tif 000005
【図４】
2006119589.tif 000006
【図５】
2006119589.tif 000007
【図６】
2006119589.tif 000008